(57)【要約】      （修正有）【課題】冷却と放熱の機構が簡単であって、柔らかい冷却面を皮膚表面に密着させることにより血液を積極的に冷却させて体全体を効率的かつ快適に冷却することが可能であって、装着容易な携帯型身体冷却装置を提供する。【解決手段】一面にペルチェ素子２を敷設した放熱ケース３と、ペルチェ素子に固設された高熱伝導金属板５と、身体冷却時に皮膚に当接する高熱伝導シート６と、ペルチェ素子に電力を供給する電源部４とから成ることを特徴とする。皮膚に当接する高熱伝導シートを身体表面に近い所を通る太い血管の近傍の皮膚に当接させることにより、迅速かつ効果的に身体全体を冷却できる。高熱伝導シートはシリコンゴムシート等の軟質材より成り、ペルチェ素子に対して着脱自在に着接されるため、汗等による汚臭を除去しての快適な利用が可能である。【選択図】図１
0003197081.tif 000002
【実用新案登録請求の範囲】
【請求項１】
携帯型の身体冷却装置であって、
筐体としての一面にペルチェ素子を敷設した放熱ケースと、
前記ペルチェ素子に着接しつつ前記筐体としての一面に固設された高熱伝導金属板と、
前記高熱伝導金属板に着接された高熱伝導シートと、
前記ペルチェ素子に電力を供給する電源部と、
から成ることを特徴とする身体冷却装置。
【請求項２】
前記高熱伝導シートは、前記高熱伝導金属板に対して着脱自在に着接されていることを特徴とする請求項１記載の身体冷却装置。
【考案の詳細な説明】
【技術分野】
【０００１】
本考案は、身体を冷却するための装置に関する。
【背景技術】
【０００２】
身体の冷却方法としては、保冷剤を要所に当接させる方法が一般的である。また、腹部等数か所に配置したポケットに保冷剤を収納して身体を冷却する「冷房服」や、服に付いた小型ファンで服の中に外気を取り入れ風流を起すことにより汗を気化させる空調服等が市販されている。
【先行技術文献】
【特許文献】
【０００３】
【特許文献１】特開２００４−２６３３２５
【特許文献２】特許第５２６４６４８号
【考案の概要】
【考案が解決しようとする課題】
【０００４】
上述した従来の身体冷却方法や冷房服、空調服には次のような問題点があった。すなわち、保冷材は時間とともに溶けて冷却能力が低下するため、長時間の効果は期待できない。また、これを使用した冷房服についても、着用のたびに保冷剤の交換と再冷凍を繰り返す必要がある。さらに、空調服はすぐに身体を冷やすことはできないうえ、空冷による効果は限定的である。
【０００５】
上述の問題を解決すべく、近年においては、ペルチェ素子を使用した身体冷却方法が開発されている。
【０００６】
特許文献１には、ペルチェ素子を用いた冷暖房服が開示されている。該発明は、被服地に埋設された複数のペルチェ素子の効果により、身体の所定部位を冷却又は暖房するものであるが、生地を通しての冷却では、ペルチェ素子の冷却面（発熱面）を身体に密着させることが難しく、効果的な冷却を行い得ない。
【０００７】
特許文献２には、冷却水とペルチェ素子との組合せによる携帯型冷却装置が提案されている。しかしながら、該装置は冷却水の保存及び循環構造が複雑なため、装着に時間がかかるうえ装置全体の重量も大きくなるという欠点がある。さらに、製造コストが高くなり、量販が期待できないという問題もある。
【０００８】
ペルチェ素子による身体冷却においては、（１）冷却又は放熱において冷却水の循環等の二次的機構を必要とせず、装置の構造が複雑でないこと、（２）皮膚に当接する冷却面が軽量で、柔らかく、しかも、皮膚に密着しつつ冷却能力を維持できる構造であること、（３）装着が容易で装置全体が軽量であること、の３点が必要とされるが、これまで適当な構造のものがなかった。
【０００９】
上述の問題を解決すべく、本考案に係る身体冷却装置は、冷却及び放熱の機構が簡単で装着が容易な携帯型身体冷却装置であって、柔らかい冷却面を皮膚表面に密着させることにより血液を積極的に冷却させて身体全体を効率的に冷却できるペルチェ素子を用いた身体冷却装置を提供することを課題とする。
【課題を解決するための手段】
【００１０】
上記課題を解決するために、請求項１記載の携帯型身体冷却装置は、筐体としての一面にペルチェ素子を敷設した放熱ケースと、前記ペルチェ素子に着接しつつ前記筐体としての一面に固設された高熱伝導金属板と、前記高熱伝導金属板に着接された高熱伝導シートと、前記ペルチェ素子に電力を供給する電源部とから成り、前記ペルチェ素子が敷設された面を除く他のすべての面が通気可能である前記放熱ケースによるコンパクトな放熱機構と、前記高熱伝導金属板による効果的な冷却と、軟質材を使用した前記高熱伝導シートによる快適な感触を特徴とする。
【００１１】
請求項２記載の携帯型身体冷却装置は、前記皮膚に当接する前記高熱伝導シートは、前記高熱伝導金属板に対して着脱自在に着接されており、汗等による汚れや臭を除去して繰り返しの利用が可能であることを特徴とする。
【考案の効果】
【００１２】
冷却及び放熱において冷却水の循環等の二次的機構を有さないため、装置の構造が簡単となる。これにより、装置全体が軽量となり携帯性に優れるうえ、身体への装着も容易となる。
【００１３】
身体表面に近い所を通る太い血管の近傍の皮膚に素早く密着させ、迅速かつ効果的に身体全体を冷却できる。このため、熱中症等のように早く体温を下げたい場合、その他の医療上必要な場合にも有効に使用できる。
【００１４】
ペルチェ素子に着接した高熱伝導金属板が熱交換の範囲を広げるため、効果的かつ広い範囲の冷却が可能となる。
【００１５】
軟質材の高熱伝導シートが違和感なく皮膚に密着するため、快適な冷却が可能となる。
【００１６】
皮膚に当接する高熱伝導シートは、高熱伝導金属板に対して着脱自在に着接されるため、汗等による汚れや臭を除去して、繰り返しの利用が可能となる。
【００１７】
装置の構造が簡単なため、省コスト性に優れ、量産による市場拡大と需要者への安価な提供が可能となる。
【図面の簡単な説明】
【００１８】
【図１】本考案に係る身体冷却装置の下方向からの斜視図である。
【図２】本考案に係る身体冷却装置の上方向からの斜視図である。
【図３】本考案に係る身体冷却装置の図１ａ−ａ線断面図である(電源部は省略)。
【考案を実施するための形態】
【００１９】
以下、本考案の実施形態を図を用いて説明する。
【００２０】
本実施形態に係る身体冷却装置は、図１に示すように、ペルチェ素子２が底辺に敷設された略直方体の放熱ケース３と、放熱ケース３に連続して配置された電源部４と、ペルチェ素子２に着接しつつ放熱ケース３の一面にビス７及び接着剤によって固設された高熱伝導金属板５と、高熱伝導金属板５に対して着脱自在に配備された高熱伝導シート６によって構成される。
【００２１】
図１，２に示すように、底面にペルチェ素子２が配置された放熱ケース３は、ペルチェ素子２が放出する熱を拡散するに十分なスペースを有し、ペルチェ素子が敷設された面を除く他のすべての面が通気可能に解放されている。このため、冷却水等を使用せずに効果的な放熱が可能となる。
【００２２】
本実施形態においては、図３に示すように、高熱伝導金属板５には熱伝導率が高く軽量であるアルミニウム板を使用し、皮膚に当接する高熱伝導シート６には熱伝導性に優れ皮膚との接触において違和感がないシリコンゴムシートを使用している。また、高熱伝導シート６はシリコンゴムの粘着性を利用して高熱伝導金属板５に着接されるため、容易に脱離させることができる。
【００２３】
図１，２に示すように、高熱伝導シート６は高熱伝導金属板５に対して着脱自在となっているため、シート６が汗で汚れたり、悪臭を発したりしたときには水洗い等が可能となっている。
【００２４】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。特に、放熱ケースの形状やペルチェ素子の大きさ、配置等については多くの実施形態が可能である。また、高熱伝導金属板及び高熱伝導シートについても様々な素材を使用しての実施が可能であり、これら、本実施形態と異なる形態での実施についても、本考案の技術的範囲に含まれるものと解する。
【符号の説明】
【００２５】
１    身体冷却装置
２    ペルチェ素子
３    放熱ケース
４    電源部
５    高熱伝導金属板（アルミニウム板）
６    高熱伝導シート（シリコンゴムシート）
７    ビス
【図１】
0003197081.tif 000003
【図２】
0003197081.tif 000004
【図３】
0003197081.tif 000005